(57)【要約】【課題】撹拌羽根の点検、修理交換が容易にできサービス、メンテナンスのしやすい厨芥処理を提供することを目的とする。【解決手段】厨芥を収納する収納容器１と、前記収納容器１内の厨芥を撹拌し撹拌羽根２８を有する撹拌手段２９と、前記撹拌手段２９の動作を制御する制御装置３２と、前記撹拌羽根２８の前記収納容器１内における停止位置を検出する位置検出手段６６を備えたもので、前記撹拌羽根２８の前記収納容器１内における停止位置が前記位置検出手段６６により検出できるため、撹拌羽根の点検や交換する時には、サービス、メンテナンスがしやすくなり使い勝手が向上する。【選択図】　図１
2004033904.tif 000002
【特許請求の範囲】
【請求項１】
厨芥を収納する収納容器と、前記収納容器内の厨芥を撹拌し撹拌羽根を有する撹拌手段と、前記撹拌手段の動作を制御する制御装置と、前記撹拌羽根の前記収納容器内における停止位置を検出する位置検出手段を備えた厨芥処理機。
【請求項２】
厨芥処理運転動作終了時、撹拌羽根の収納容器内における停止位置を、制御装置により予め設定した位置とする請求項１記載の厨芥処理機。
【請求項３】
操作手段を操作することで、撹拌羽根の収納容器内における停止位置が変更できる通常処理モードとは別のモードを設けた請求項１記載の厨芥処理機。
【請求項４】
操作手段を操作する毎に、前記撹拌羽根の収納容器内における停止位置が順次変更できる請求項３記載の厨芥処理機。
【請求項５】
撹拌手段は撹拌軸と前記撹拌軸に設けられた撹拌羽根から構成されるとともに、位置検出手段は、前記撹拌軸に設けられた凸部と、前記凸部の位置を検出する位置検出部からなる請求項１〜４のいずれか１項に記載の厨芥処理機。
【請求項６】
位置検出手段の出力を表示させる表示手段を設けた請求項３〜５のいずれか１項に記載の厨芥処理機。
【請求項７】
厨芥を収納する収納容器と、前記収納容器内の厨芥を撹拌し、撹拌軸と撹拌羽根から構成される撹拌手段を備え、前記撹拌羽根を前記撹拌軸より着脱自在とした厨芥処理機。
【請求項８】
撹拌手段は撹拌軸と前記撹拌軸に設けられたアームと前記アームに設けられた撹拌羽根から構成され、アームの撹拌軸側に凸部を設けるとともに、前記撹拌軸には前記アームおよび前記凸部を挿入する挿入部と前記凸部が挿入され前記挿入部に連通し上方を閉塞した溝を前記穴の外周に設け、前記アームの端面と前記撹拌軸の間に弾性体を有する請求項７記載の厨芥処理機。
【請求項９】
撹拌手段は撹拌軸と前記撹拌軸に設けられたアームと前記アームに設けられた撹拌羽根から構成され、前記アームの撹拌軸側に凹部を設けるとともに、前記撹拌軸には前記アームを挿入する挿入部を設け、前記挿入部に挿入した前記凹部を係合保持する弾性体を前記撹拌軸に取り付けた請求項７記載の厨芥処理機。
【発明の詳細な説明】
【０００１】
【発明の属する技術分野】
本発明は生ごみなどの厨芥を処理する厨芥処理機に関するものである。
【０００２】
【従来の技術】
従来の厨芥処理機について乾燥方式を例に図７及び図８を用いて説明する。１は乾燥減量したい生ごみを収納する収納容器で、生ごみは生ごみ投入時に開閉する蓋２を開けて投入される。収納容器１の内部には生ごみを撹拌する撹拌手段６を配し、この撹拌手段６は、回転自在の撹拌軸３と、この撹拌軸３に取付けた複数のアーム５と、このアーム５の先端に取り付けた撹拌羽根４から構成されている。撹拌軸とアームの接続はピンと割ピン（図示せず）で固定されたり、一体で溶接されたりして固定されている。撹拌手段６の撹拌軸３はチェーン９を介して生ごみ乾燥処理機の本体７の底部に取り付けたモータ８により回転駆動される。
【０００３】
収納容器１の上部には、収納容器内の生ごみに熱を送るヒータ１０と乾燥ファン１１、さらにそれらを覆うと共に底部に複数の孔１２ａを有するカバー１２が設けられており、乾燥ファン１１は本体７の内部に設けてある乾燥ファンモータ１３により回転する。また、本体には操作手段を設けられており、電源をＯＮ
ＯＦＦする操作スイッチ５３と生ごみ処理運転を開始する運転スイッチ５４と排出処理を開始する排出スイッチ５５を設けている。
【０００４】
上記構成により、収納容器１の生ごみを撹拌手段６で粉砕、撹拌しながらヒータ１０と乾燥ファン１１により発生する熱風で加熱乾燥させるものである。
【０００５】
ここで、図９に示した回路ブロック図について説明する。電源電圧からの電源を制御手段３２等に供給するラインに操作手段５８を設け、前記操作手段５８はＯＮ時には機械的固定を行い、ＯＦＦは電気的手段で実施される自己保持タイプである。前記操作手段５８を用いて運転動作を行なう過程は、使用者が電源を入れるために前記操作手段５８をＯＮする。前記動作によって、電源が制御手段３２等に供給され、運転（乾燥処理）を実施する。つまり、前記操作手段５８を動作させることで運転が開始されるわけである。運転の終了時は、制御手段３２からの終了信号で、前記操作手段５８をＯＦＦさせ、電源を遮断することで終了させる自動終了である。
【０００６】
【発明が解決しようとする課題】
しかしながら、上記従来の厨芥処理機では、サービス、メンテナンス時等で蓋２を開けて収納容器１内の撹拌羽根を交換する際、撹拌羽根の停止位置が一定でないため、手動で撹拌羽根を回転させたりして交換する必要がありサービス、メンテナンス作業がしづらく時間がかかるという問題があった。
【０００７】
また、アームが撹拌軸にピンと割リピンで固定されたり、一体で溶接されたりしているために、前者ではサービス、メンテナンス時に撹拌羽根を交換する作業がしづらく、時間もかかるという問題があった。また、後者では処理容器を分解する等、大がかりな作業となり、コストも、時間もかかるという問題があった。
【０００８】
本発明は上記従来の課題を解決するものであり、厨芥処理機のサービス、メンテナンス作業の容易化と作業性時間の短縮を行うとともに、さらに撹拌羽根の動作回転方向を任意の時間に容易に短時間で確認でき、使い勝手の良い厨芥処理機を提供することを目的とするものである。
【０００９】
【課題を解決するための手段】
上記課題を解決するために本発明は、厨芥を収納する収納容器と、前記収納容器内の厨芥を撹拌し撹拌羽根を有する撹拌手段と、前記撹拌手段の動作を制御する制御装置と、前記撹拌羽根の前記収納容器内における停止位置を検出する位置検出手段を備えたもので、前記撹拌羽根の前記収納容器内における停止位置が前記位置検出手段により検出できるため、撹拌羽根の点検や交換する時には、サービス、メンテナンスがしやすくなり使い勝手が向上する。
【００１０】
【発明の実施の形態】
本発明の請求項１記載の発明は、厨芥を収納する収納容器と、前記収納容器内の厨芥を撹拌し撹拌羽根を有する撹拌手段と、前記撹拌手段の動作を制御する制御装置と、前記撹拌羽根の前記収納容器内における停止位置を検出する位置検出手段を備えたもので、前記撹拌羽根の前記収納容器内における停止位置が前記位置検出手段により検出できるため、撹拌羽根の点検や交換する時には、サービス、メンテナンスがしやすくなり使い勝手が向上する。
【００１１】
本発明の請求項２記載の発明は、厨芥処理運転動作終了時、撹拌羽根の収納容器内における停止位置を、制御装置により予め設定した位置とするもので、撹拌羽根の点検や交換をしやすい位置に、厨芥処理運転動作終了時に配置させることで、撹拌羽根の点検や交換する時には、サービス、メンテナンスがしやすくなり使い勝手が向上する。
【００１２】
本発明の請求項３記載の発明は、操作手段を操作することで、撹拌羽根の収納容器内における停止位置が変更できる通常処理モードとは別のモードを設けたもので、通常運転モードでは処理シーケンスにしたがい撹拌手段を制御し、メンテナンス運転モードでは前記シーケンスに係わりなく撹拌手段を動作させることで、生ごみ処理運転中や、排出処理運転モードと区別ができ、撹拌羽根の修理、点検作業が容易に可能で、作業性のよい使い勝手の良い厨芥処理機を提供できる。
【００１３】
本発明の請求項４記載の発明は、操作手段を操作する毎に、前記撹拌羽根の収納容器内における停止位置が順次変更できるもので、複数個の撹拌羽根をサービス、メンテナンスする場合にも複雑な操作を必用とせずに、作業が容易で短時間に効率よく作業性ができて、使い勝手の良い厨芥処理機を提供できる。
【００１４】
本発明の請求項５記載の発明は、撹拌手段は撹拌軸と前記撹拌軸に設けられた撹拌羽根から構成されるとともに、位置検出手段は、前記撹拌軸に設けられた凸部と、前記凸部の位置を検出する位置検出部からなるもので、低コストで精度の良い、撹拌羽根の収納容器内における停止位置を検出する位置検出手段を実現できる。
【００１５】
本発明の請求項６記載の発明は、位置検出手段の出力を表示させる表示手段を設けたもので、撹拌羽根をサービス、メンテナンスする場合には、作業者が撹拌羽根の停止位置を確認して停止することができるので、作業者の作業がしやすく効率よく作業性ができて、使い勝手の良い厨芥処理機を提供できる。
【００１６】
本発明の請求項７記載の発明は、厨芥を収納する収納容器と、前記収納容器内の厨芥を撹拌し、撹拌軸と撹拌羽根から構成される撹拌手段を備え、前記撹拌羽根を前記撹拌軸より着脱自在としたもので、撹拌羽根を修理、交換する場合には、作業が容易で短時間に効率よく作業性ができて、使い勝手の良い厨芥処理機を提供できる。
【００１７】
本発明の請求項８記載の発明は、撹拌手段は撹拌軸と前記撹拌軸に設けられたアームと前記アームに設けられた撹拌羽根から構成され、アームの撹拌軸側に凸部を設けるとともに、前記撹拌軸には前記アームおよび前記凸部を挿入する挿入部と前記凸部が挿入され前記挿入部に連通し上方を閉塞した溝を前記穴の外周に設け、前記アームの端面と前記撹拌軸の間に弾性体を有するもので、安価で確実に、前記撹拌羽根を前記撹拌軸より着脱できる構成の厨芥処理機を提供できる。
【００１８】
本発明の請求項９記載の発明は、撹拌手段は撹拌軸と前記撹拌軸に設けられたアームと前記アームに設けられた撹拌羽根から構成され、前記アームの撹拌軸側に凹部を設けるとともに、前記撹拌軸には前記アームを挿入する挿入部を設け、前記挿入部に挿入した前記凹部を係合保持する弾性体を前記撹拌軸に取り付けたもので、安価で確実に、前記撹拌羽根を前記撹拌軸より着脱できる構成の厨芥処理機を提供できる。
【００１９】
【実施例】
以下、本発明の一実施例について図１〜図４を用いて説明する。なお従来例と同一構成部品については、同一符号を付して説明を省略する。
【００２０】
図１は本発明の生ごみ乾燥処理機の側断面図である。１は乾燥減量したい生ごみを収納する上方開口の生ごみ収納容器で、前記生ごみ収納容器１の少なくとも一部の側壁を、開口縁に向かって外広がり形状を有しており、外広がり形状となる屈曲部１４は最大投入量の位置を示している。２は生ごみの投入時に開閉する上方開きとした蓋である。蓋２の隔壁２ａには吸気部１５と乾燥ファン１１の投影面積内に設けた排湿部１６を設け、乾燥ヒータ１０と乾燥ファン１１を覆うと共に底部に複数の穴１７ａを有するヒータカバー１７が隔壁２ａに着脱自在に取付けられており、乾燥ファン１１は蓋２の内部に設けてある乾燥ファンモータ１８により回転する。ヒータカバー１７の収納容器１側の内側面１９は収納容器１側にテーパ状に広がっており、ヒータカバー１７と内側面１９とで形成される第１加熱手段の熱を受ける空間部分にはバッファー部２０を設け、第１連通路２１で排湿部１６と連通している。バッファー部２０からは順次蓋２の開閉を支持する中空の支持軸２２と脱臭装置２３につながっており、さらに脱臭装置２３の下流側に吸引ファン２４を設けている。２５は本体７の背面に上向きに排湿するようにもうけた排湿口であり、吸引モータ２４ａの回転で吸引ファン２４により収納容器１内で発生した蒸気を排湿する排湿風と、吸引モータ２４ａのもう一方に付いている冷却ファン２４ｂにより本体７内の冷却風とを混合して外部に排湿させる構成を有している。なお、排湿口２５を有する排湿カバー２６の背面方向の幅は蓋２を全開にした時、蓋２が背面の建物の壁等に当たらないような幅を確保している。
【００２１】
収納容器１の内部には回転自在の撹拌軸３を有し、複数のアーム５の先端には少なくとも一つの縁部に凹凸部２７を設けた複数の撹拌羽根２８（２８ａ、２８ｂ）を有する厨芥の撹拌手段２９を有しており、収納容器１に取付けたアーム板３０にモータ３１を取付け撹拌軸３とモータ３１を連結させ、モータ３１で撹拌軸３を回転させるようにしている。また、撹拌軸３の端面外周の一部にアーム５と同方向に凸部３１ａを設け、前記撹拌軸３に設けた凸部３１ａに当接するようにリミットスイッチ６６を設け、撹拌軸３の回転位置の検出を行っている。本実施例では、撹拌軸３及び撹拌羽根２８の位置検出手段としてマイクロスイッチ６６にて位置検出を行なっているが、フォトトランジスターによる位置検出（図示せず）や、マグネットを撹拌軸３の端面あるいは、撹拌羽根２８あるいはアーム５に取り付け、マグネットの回転軌跡上に回転検出を行なうリードスイッチを設けもよい（図示せず）。３２は第１温度検出器３３によって収納容器１内の温度を一定になるように乾燥ヒータ１０の加熱量を制御するとともに、収納容器１の外周面に設けた面状ヒータ３４に取付けた第２温度検出器３５によって面状ヒータ３４の温度を一定になるように面状ヒータ３４の熱量を制御する制御装置である。なお、３６は本体７の正面に固定され、蓋２の金具３７に引っ掛けて本体７と蓋２とを固定するキー付き（図示せず）の固定手段のレバーである。
【００２２】
本体７の正面側の収納容器２の側面には、扉３８で開閉する排出口３９を設け、扉３８はラック４０とピニオン４１の構成で本体７正面に設けたハンドル４２を回転することにより、扉３８を開閉する構成を設けている。また、扉３８が全開または全閉すると扉３８がリミットスイッチ４３、４４に当接するようにリミットスイッチ４３、４４を設けている。
【００２３】
また、収納容器１は底面部が下方に突出する略円弧形をなしており（図２参照）、収納容器１の正面方向の側壁に排出口３９を設け、排出口３９に対向した撹拌羽根２８ａの排出口３９に最も近接した縁部４５には凹凸部は設けていない。前記撹拌羽根２８ａの最外周縁部と縁部４５と対向する縁部には凹凸部２７が設けてある。残り２本の撹拌羽根２８ｂは最外周部とその両方縁部に凹凸部２７を設けてある。また撹拌羽根２８ａ、２８ｂに対向する収納容器１の内面に撹拌羽根２８ａ、２８ｂの凹凸部に噛み合うような固定刃４６を設けてある。
【００２４】
図２は、本実施例における厨芥処理機の内部を透視した斜視図で、収納容器１には圧力逃がし口４７を設け、前記圧力逃がし口４７を覆うように圧力逃がし板４８を蝶番４９と系止手段５０で収納容器１に固定し本体７の外装ケースで覆っており、収納容器１内の圧力が上昇し、系止手段５０が外れて圧力逃がし板４８が開いたことを検知するアクチュエータ５１を設けている。
【００２５】
蓋２に設けてあるヒータカバー１７の外周面は収納容器１の収納容器開口部とほぼ同じ形状を有したものである（図１参照）。また本体７の正面には電源入／切ボタン５３、運転入／切ボタン５４、排出運転入／切ボタン５５、メンテナンス運転ボタン５６からなる運転操作部５８と乾燥運転及び排出運転の表示５９及び、メンテナンス運転状態の表示６０を行なう表示部６１と異常表示部６２を設けている。また、本実施例では運転ボタン及び表示を複数個取付けたが、まとめて一個の運転ボタンや、一個の表示にて構成してもよい。（図示せず）また本体７の正面に排出口３９に設けた扉３８の移動に対応して、移動する指示部材６３で排出口３９の開閉状態が使用者に確認できる表示手段６４を設けている。
【００２６】
また本実施例ではアーム５に着脱自在な非粘着材としてテフロンパイプ６５を取付けている。本実施例ではアーム５のみに非粘着材を取りつけたが、撹拌羽根２８ａ、２８にもビス等でとりつけても良い。
【００２７】
次に上記のように構成された厨芥処理機の動作について説明する。生ごみをまず蓋２を開けて収納容器１へ投入し蓋２を閉めて、キー付きレバー３６で固定する。そして運転を開始するとモータ３１、第１加熱手段である乾燥ヒータ１０、乾燥ファンモータ１８に通電され撹拌軸３、及び乾燥ファン１１が回転し温風が孔１７ａを通って循環し収納容器１内の生ごみを乾燥させる。収納容器１内で発生した蒸気は吸引ファン２４の運転で排湿部１６、第１連通路２１、支持軸２２、脱臭装置２３を通り、排出口２５から機器外に排湿される。収納容器１内の乾燥温度は第１温度検出器３３によって一定になるように制御装置３２によって制御される。また面状ヒータ３４の通電も第２温度検出器３５によって面状ヒータの温度が一定になるように制御装置３２によって制御される。図４は運転開始から乾燥終了までのタイムチャート図である。運転を開始すると第１加熱手段である乾燥ヒータ１０と第２加熱手段である面状ヒータ３４は通電され、収納容器１内の温度は第１温度検出器３３によって、面状ヒータ３４の温度は第２温度検出器３５によってそれぞれ所定温度Ｔ１，Ｔ２になるように制御される。厨芥の処理が進んでくると、厨芥から発生する蒸気量が減少し、乾燥ヒータ１０のＯＦＦ時間がだんだん長くなり、制御装置３２によりＯＦＦ時間が予め設定しているｔ１より長くなると乾燥ヒータ１０をＯＮさせ、予め設定してある終了検知温度Ｔ３で乾燥運転が終了する。
【００２８】
乾燥運転が終了すると、排出口３９の扉３８をハンドル４２で開き、撹拌手段２９をモータ３１で回転させると、撹拌羽根２８ａ、２８ｂは予め徐々に処理されたごみが排出口３９の方に移動する角度で取付けられており最終的に撹拌羽根２８ａで自動的に排出口３９から排出される。
【００２９】
またサービス、メンテナンス時には、メンテナンス運転ボタン５６を押すと撹拌軸３が回転し回転軸３の端面外周部の設けた凸部３ａが回転しリミットスイッチ６６が作動して回転軸３の回転検出を行うことにより、撹拌羽根２８の位置検出が行え撹拌羽根２８を点検、修理交換しやすい位置に自動的に停止させることができる。さらに続けて撹拌羽根２８を回転させたい場合には、再度メンテナンス運転ボタン５６を押せと撹拌羽根２８が回転し次の撹拌羽根２８が点検、修理交換しやすい位置に停止させることができる。複数個の撹拌羽根２８を点検、修理交換する場合はメンテナンス運転ボタン５６をＯＮするごとに作業しやすい位置に撹拌羽根２８を移動することができる。
【００３０】
また、図５または図６に示すように、撹拌手段２９は撹拌軸３と前記撹拌軸３に設けられたアーム５と前記アーム５に設けられた撹拌羽根２８から構成され、前記撹拌軸３より撹拌羽根２８を有するアーム５を着脱自在とした構成となっている。
【００３１】
図５においては、撹拌手段２９は撹拌軸３と前記撹拌軸に３設けられたアーム５と前記アーム５に設けられた撹拌羽根２８から構成され、アーム５の撹拌軸３側に凸部５ａを設けるとともに、前記撹拌軸３には前記アーム５および前記凸部５ａを挿入する挿入部である穴３ｂと前記凸部５ａが挿入され前記穴３ｂに連通し上方を閉塞した溝３ｃを前記穴３ｂの外周に設け、前記アーム５の端面と前記撹拌軸３の間にバネ６７なる弾性体を有している。
【００３２】
上記構成において、凸部５ａを有するアーム５を、撹拌軸３に設けられた穴３ｂにバネ６７を押して挿入し、水平方向に回転させる。前記凸部５ａは前記穴３ｂに連通し上方を閉塞した溝３ｃに入り込み、また、前記バネ６７にて前記アーム５は付勢されるため、前記アーム５は前記撹拌軸３に固定される。逆に、前記アーム５を前記撹拌軸３からはずす場合には、前記アーム５を水平方向に回転させ、前記凸部５ａを有するアーム５を前記穴３ｂからはずせばよい。
【００３３】
図６においては、撹拌手段２９は撹拌軸３と前記撹拌軸３に設けられたアーム５と前記アーム５に設けられた撹拌羽根２８から構成され、前記アーム５の撹拌軸３側に凹部５ｂを設けるとともに、前記撹拌軸３には前記アーム５を挿入する挿入部である穴３ｂを設け、前記穴３ｂに挿入した前記凹部５ｂを係合保持する折り曲げ部を有するバネ６８なる弾性体を前記撹拌軸３に取り付けたものである。
【００３４】
上記構成において、凹部５ｂを有するアーム５を、撹拌軸３に設けられた穴３ｂに挿入する。挿入すると、前記バネ６８にて前記凹部５ｂを有するアーム５は付勢されるため、前記アーム５は前記撹拌軸３に固定される。逆に、前記アーム５を前記撹拌軸３からはずす場合には、前記アーム５を引っ張ると、前記折り曲げ部を有するバネ６８は変形するため、アーム５を前記穴３ｂからはずすことができる。
【００３５】
以上のように本実施例においては、撹拌手段の動作を制御する制御装置と、前記撹拌手段の位置検出手段を備え、位置検出手段の出力に基づいて前記操作手段により撹拌手段を停止することができるメンテナンス運転モードを設けている為、前記制御装置は通常運転モードでは処理シーケンスにしたがい撹拌手段を制御し、メンテナンス運転モードでは前記シーケンスに係わりなく撹拌手段を動作させるもので、生ごみ処理運転中や、排出処理運転モードと区別ができ、撹拌羽根の修理、点検作業が容易に可能で、作業性のよい使い勝手の良い厨芥処理機を提供できる。
【００３６】
また、撹拌羽根を着脱し易い位置に順次停止させる運転モード設けているために、複数個の撹拌羽根をサービス、メンテナンスする場合にも複雑な操作を必用とせずに、作業が容易で短時間に効率よく作業性ができて、使い勝手の良い厨芥処理機を提供できる。
【００３７】
また、所定スイッチを押す毎に撹拌羽根を着脱しやすい位置に撹拌軸を回転させるもので、撹拌羽根をサービス、メンテナンスする場合には、複雑な操作を必用とせずに、作業が容易で短時間に効率よく作業性ができて、使い勝手の良い厨芥処理機を提供できる。
【００３８】
また、位置検出手段の出力を表示させる表示手段を備えているのでサービス、メンテナンスする場合には、複数個の撹拌羽根を有する場合に修理、交換が必要な撹拌羽根を表示にて確認、選択でき、作業が短時間に効率よく行なえて、使い勝手の良い厨芥処理機を提供できる。
【００３９】
また、撹拌羽根をワンタッチに着脱可能な構成しているので、撹拌羽根を修理、交換する場合には、作業が容易で短時間に効率よく作業性ができて、使い勝手の良い厨芥処理機を提供できる。
【００４０】
また、少ない部品で撹拌羽根をワンタッツチで確実に着脱可能な構成にしているので安価で作業性がよく、また確実に撹拌羽根の着脱交換ができるの厨芥処理機を提供できる。
【００４１】
【発明の効果】
本発明は、厨芥処理機のサービス、メンテナンス作業の容易化と作業性時間の短縮が行え、さらに撹拌羽根の動作回転方向を任意の時間に容易に短時間で行えて、短時間でサービス、メンテナンスのしやすい、使い勝手の良い厨芥処理機を提供できる。
【図面の簡単な説明】
【図１】本発明の一実施例を示す厨芥処理機の側断面図
【図２】同厨芥処理機の斜視図
【図３】同厨芥処理機の外観構成図
【図４】同厨芥処理機の処理時のタイムチャート
【図５】（ａ）同厨芥処理機の撹拌羽根アーム取付け部の平面図
（ｂ）図５（ａ）のＡ−Ａ断面図
【図６】（ａ）同厨芥処理機の他の撹拌羽根アーム取付け部の平面図
（ｂ）図６（ａ）のＡ−Ａ断面図
【図７】従来の厨芥処理機の側断面図
【図８】同厨芥処理機の操作手段構成図
【図９】同厨芥処理機の回路ブロック図
【符号の説明】
１　収納容器
３　撹拌軸
２８　撹拌羽根
２９　撹拌手段
６６　位置検出手段
【図１】
2004033904.tif 000003
【図２】
2004033904.tif 000004
【図３】
2004033904.tif 000005
【図４】
2004033904.tif 000006
【図５】
2004033904.tif 000007
【図６】
2004033904.tif 000008
【図７】
2004033904.tif 000009
【図８】
2004033904.tif 000010
【図９】
2004033904.tif 000011